(57)【要約】【課題】美観が損なわれる事態を招くことなく、十分に趣向性が高い光情報媒体を提供する。【解決手段】基材と、基材の上に形成された情報記録層と、情報記録層の上に形成された光透過層とを備え、光透過層の側から情報記録層に向けたレーザービームの照射によって情報記録層からの記録データの読み出しが可能に構成された光ディスク１であって、光ディスク１における内周側非インフォメーションエリアＡ１において情報記録層の形成領域に対して光情報媒体の厚み方向で重なる記号記録エリアＡｍの光透過層の側に凹部が形成されて、凹部によって内周側の非情報領域に記号（Ａ，Ｂ，Ｃ・・）が記されている。【選択図】図１
2011192355.tif 000002
【特許請求の範囲】
【請求項１】
基材と、当該基材の上に形成された情報記録層と、当該情報記録層の上に形成された光透過層とを備え、前記光透過層の側から前記情報記録層に向けたレーザービームの照射によって当該情報記録層からの記録データの読み出しが可能に構成された光情報媒体であって、
当該光情報媒体における内周側の非情報領域において前記情報記録層の形成領域に対して当該光情報媒体の厚み方向で重なる領域の前記光透過層の側に凹部が形成されて、当該凹部によって当該内周側の非情報領域に記号が記されている光情報媒体。
【請求項２】
前記凹部は、前記基材に達する深さに形成されている請求項１記載の光情報媒体。
【請求項３】
前記基材における前記光透過層の形成面とは反対側の面において少なくとも前記記号が記された前記領域に対して前記厚み方向で重なる領域に有色の背面層が形成されている請求項２記載の光情報媒体。
【請求項４】
前記凹部は、前記光透過層の厚みの範囲内に形成されている請求項１記載の光情報媒体。
【発明の詳細な説明】
【技術分野】
【０００１】
本発明は、各種記号が記された光情報媒体に関するものである。
【背景技術】
【０００２】
例えば、特開２００４−１９９７７１号公報には、インクジェット方式等の各種プリント方式で任意の記号や図柄を印刷可能な印刷層を備えて構成された光情報媒体が開示されている。この光情報媒体は、記録層、金属反射層、保護層および印刷層が透明基板の一方の面にこの順で形成されている。また、この公開公報には、上記の保護層と印刷層との間に印刷下地層が形成された光情報媒体も開示されている。これらの光情報媒体では、透明基板の他方の面の側から記録層に向けてレーザー光を照射することによって、記録層に対する記録データの記録や、記録層からの記録データの読み出しを行うことが可能となっている。
【０００３】
この場合、この光情報媒体では、記録層や金属反射層が形成されている領域よりも内周側まで印刷層が形成されている。また、この光情報媒体では、記録層が形成されている領域、すなわち、記録再生用の環状溝（グルーブ）が形成されている領域と、この環状溝が形成されていない領域とで光の屈折率が相違することに起因して印刷層に印刷した記号や図柄の色合いが相違する状態となる違和感を生じさせることのないように、記録層が形成されている領域よりも内周側にダミーの環状溝が形成されている。これにより、色合いが相違する違和感を生じさせることなく、記録層の形成領域、および記録層よりも内周側の領域に亘る広い領域に記号や図柄を印刷することが可能となっている。
【先行技術文献】
【特許文献】
【０００４】
【特許文献１】特開２００４−１９９７７１号公報（第５−８頁、第２−３図）
【発明の概要】
【発明が解決しようとする課題】
【０００５】
ところが、従来の光情報媒体には、以下の問題点がある。すなわち、従来の光情報媒体では、インクジェット方式等の各種プリント方式で任意の記号や図柄を印刷可能な印刷層を備えている。この場合、この種の光情報媒体に対して記号等を印刷可能に構成されたインクジェットプリンタでは、一般的に、水溶性のインクを使用して記号等を印刷する構成が採用されている。したがって、インクジェットプリンタによって印刷層に記号等を印刷した光情報媒体では、例えば、汗ばんだ手で印刷層に触れたときに、印刷層に印刷されている記号等に滲みが生じることがある。このため、従来の光情報媒体には、印刷層に印刷した記号等に滲みが生じて、その美観が損なわれることがあるという問題点が存在する。
【０００６】
また、透明基板の他方の面（いわゆるレーベル面）に形成された印刷層に記号や図柄を印刷した従来の光情報媒体は、工場出荷時に各種の記号や図柄をレーベル面に印刷した市販のビデオディスクや音楽ディスク等の光情報媒体と見た目が殆ど同じとなっている。したがって、従来の光情報媒体では、印刷層に対して印刷する記号や図柄に工夫を凝らしたとしても、利用者に対して目新しさを覚えさせるのが困難となっており、趣向性の高い光情報媒体を提供するのが困難となっているという問題点もある。
【０００７】
本発明は、かかる問題点に鑑みてなされたものであり、美観が損なわれる事態を招くことなく、十分に趣向性が高い光情報媒体を提供することを主目的とする。
【課題を解決するための手段】
【０００８】
上記目的を達成すべく、本発明に係る光情報媒体は、基材と、当該基材の上に形成された情報記録層と、当該情報記録層の上に形成された光透過層とを備え、前記光透過層の側から前記情報記録層に向けたレーザービームの照射によって当該情報記録層からの記録データの読み出しが可能に構成された光情報媒体であって、当該光情報媒体における内周側の非情報領域において前記情報記録層の形成領域に対して当該光情報媒体の厚み方向で重なる領域の前記光透過層の側に凹部が形成されて、当該凹部によって当該内周側の非情報領域に記号が記されている。なお、上記の「情報記録層」とは、追記型の光情報媒体や書換え可能型の光情報媒体においては、「光反射層」、「相変化膜や色素膜などの記録層」および「記録層を保護するための保護層」などを意味すると共に、再生専用型の光情報媒体においては、「基材におけるピット（マーク）の形成部位」および「光反射層」を意味する。
【０００９】
また、本発明に係る光情報媒体は、前記凹部が、前記基材に達する深さに形成されている。
【００１０】
さらに、本発明に係る光情報媒体は、前記基材における前記光透過層の形成面とは反対側の面において少なくとも前記記号が記された前記領域に対して前記厚み方向で重なる領域に有色の背面層が形成されている。
【００１１】
また、本発明に係る光情報媒体は、前記凹部が、前記光透過層の厚みの範囲内に形成されている。
【発明の効果】
【００１２】
本発明に係る光情報媒体によれば、光情報媒体における内周側の非情報領域において情報記録層の形成領域に対して光情報媒体の厚み方向で重なる領域の光透過層の側に凹部を形成し、その凹部によって内周側の非情報領域に記号を記したことにより、インクジェットプリンタ等で印刷層に印刷した記号等とは異なり、物理的に形成された凹部によって記された記号となっている。したがって、例えば汗ばんだ手で触れたとしても滲みが生じることがないため、その美観が損なわれる事態を確実に回避することができる。また、一般的な光情報媒体において記号が記されることのない内周側の非情報領域内における光透過層の側に任意の記号を記したことにより、十分に趣向性が高い光情報媒体を提供することができる。さらに、内周側の非情報領域内に記号が記されているため、記されている記号（凹部）が情報領域内へのアクセスの妨げとなる事態を招くことなく、光情報媒体を使用することができる。
【００１３】
また、本発明に係る光情報媒体によれば、基材に達する深さの凹部によって記号を記したことにより、光透過層の側から見たときに、凹部の形成部位（記号を記した部位）において情報記録層における光反射層によって光が反射されることがなく、しかも、情報記録層が存在しないことで、この情報記録層を構成している各層の形成材料とは相違する色で記号が視認されるため、その視認性を十分に向上させることができる。
【００１４】
さらに、本発明に係る光情報媒体によれば、基材における光透過層の形成面とは反対側の面において少なくとも記号が記された領域に対して厚み方向で重なる領域に有色の背面層を形成したことにより、光透過層の側から見たときに、凹部の形成部位（記号を記した部位）において有色の背面層が視認されるため、記号の視認性を一層向上させることができる。また、背面層の色を任意の色とすることにより、任意の色の記号が記された趣向性が高い光情報媒体を提供することができる。
【００１５】
また、本発明に係る光情報媒体によれば、光透過層の厚みの範囲内に形成した凹部によって記号を記したことにより、凹部の形成部位において情報記録層が外気に触れることなく光透過層によって覆われた状態となるため、凹部の形成部位において情報記録層の劣化を回避することができる。
【図面の簡単な説明】
【００１６】
【図１】光ディスク１（１Ａ〜１Ｄ）の平面図である。
【図２】光ディスク１の断面図である。
【図３】光ディスク１（１Ａ）において規定されたエリアやゾーンと情報記録層１２との位置関係について説明するための説明図である。
【図４】光ディスク１（１Ａ〜１Ｄ）に記された記号の一例を示す平面図である。
【図５】光ディスク１Ａの断面図である。
【図６】光ディスク１Ｂ〜１Ｄにおいて規定されたエリアやゾーンと情報記録層１２ａ，１２ｂとの位置関係について説明するための説明図である。
【図７】光ディスク１Ｂの断面図である。
【図８】光ディスク１Ｃの断面図である。
【図９】光ディスク１Ｄの断面図である。
【発明を実施するための形態】
【００１７】
以下、添付図面を参照して、本発明に係る光情報媒体の実施の形態について説明する。
【００１８】
図１に光ディスク１は、光情報媒体の一例である片面単層の書換型ディスクであって、図２に示すように、基材１１と、基材１１上に形成された情報記録層１２と、情報記録層１２の上に形成された光透過層１３と、基材１１における情報記録層１２等の形成面の裏面側に形成された印刷層１４とを備えて円板状に形成されている。なお、図４、および後に参照する図５，７〜９では、光ディスク（光情報媒体）の層構造についての理解を容易とするために、光ディスクを構成する各層や基材１１の厚みの比を実際の厚みの比とは相違する比で図示している。この光ディスク１は、光透過層１３の側から情報記録層１２に向けたレーザービームの照射によって情報記録層１２に対する記録データの記録や、情報記録層１２からの記録データの読み出しが可能に構成されている。また、この光ディスク１は、インクジェットプリンタ等を用いて各種の記号や図柄を印刷層１４に印刷することができるように構成されている。
【００１９】
基材１１は、ポリカーボネート等の樹脂材料を射出成型することにより、図１に示すように、厚みが１．１ｍｍで、外径が１２０ｍｍの円板状に形成されると共に、その中心部には、内径が１５ｍｍ程度の装着用中心孔Ｈが形成されている。情報記録層１２は、図２に示すように、光反射層２１および記録層２２を備えている。光反射層２１は、一例として、Ａｇを主成分とする金属材料をスパッタリングすることによって厚み１００ｎｍ程度の薄膜状に形成されている。記録層２２は、一例として、ＺｎＳとＳｉＯ２との混合物をスパッタリングして成膜した厚み２５ｎｍ程度の第二誘電体膜と、ＣｕＡｌを主成分としてスパッタリングして成膜した厚み５ｎｍ程度の第二記録膜と、Ｓｉを主成分としてスパッタリングして成膜した厚み４ｎｍ程度の第一記録膜と、ＺｎＳとＳｉＯ２の混合物をスパッタリングして成膜した厚み２５ｎｍ程度の第一誘電体膜とが光反射層２１の上にこの順で形成されて構成されている。
【００２０】
光透過層１３は、一例として、紫外線硬化性樹脂組成物をスピンコートした後に紫外線を照射して硬化させることによって厚み１００μｍの薄膜状に形成されている。なお、「光透過層」については、紫外線硬化性樹脂組成物を塗布して硬化させることによって形成したものに限定されず、紫外線以外の各種エネルギー線の照射によって硬化する樹脂組成物を塗布して硬化させたものや、光透過性を有する樹脂フィルムを情報記録層１２（記録層２２）の表面に貼付して形成したものがこれに含まれる。印刷層１４は、背面層の一例であって、インクジェットプリンタによって吹き付けられたインクを保持するインク受容層、および白色顔料を混合した塗料を塗布して硬化させた表面層が基材１１の側からこの順で形成されて構成されている（「有色の背面層」が「白色」の例）。なお、「背面層」は、上記の印刷層１４のようにインクジェットプリンタによる印刷が可能に構成された層に限定されず、市販のビデオディスクや音楽ディスク等のように、工場出荷時に各種の記号や図柄を印刷することによって形成された塗料層がこれに含まれる。
【００２１】
この場合、この光ディスク１では、図３に示すように、一例として、ディスク中心Ｃからの距離が１４ｍｍ〜５９ｍｍの円環状の領域内に情報記録層１２が形成されている。また、この光ディスク１では、一例として、ディスク中心Ｃからの距離が２２ｍｍ〜５９ｍｍの円環状の領域をインフォメーションエリア（情報領域）Ａｉとして使用するように規定されている。これにより、この光ディスク１では、上記インフォメーションエリアＡｉの内周側に内周側非インフォメーションエリアＡ１（「内周側の非情報領域」の一例）が存在し、かつ、上記インフォメーションエリアＡｉの外周側に外周側非インフォメーションエリア（リムエリア）Ａ２が存在した状態となっている。この場合、インフォメーションエリアＡｉ内には、システムゾーンＺ０、リードインゾーンＺ１、データゾーンＺ２およびリードアウトゾーンＺ３が内周側からこの順で規定されている。また、システムゾーンＺ０内には、バーストカッティングエリア等の各種の領域が規定されている。一方、内周側非インフォメーションエリアＡ１内には、光ディスク１を記録再生装置にクランプさせるためのクランピングエリアＡｃが規定されている。
【００２２】
また、この光ディスク１では、上記の内周側非インフォメーションエリアＡ１内であって、情報記録層１２の形成領域に対して光ディスク１の厚み方向で重なる領域（この例では、ディスク中心Ｃからの距離が１４ｍｍ〜２２ｍｍの円環状の領域）が記号記録エリアＡｍとして使用可能に規定されている。具体的には、この光ディスク１では、図２に示すように、記号記録エリアＡｍ内に凹部Ｘが形成され、図４に示すように、この凹部Ｘによって各種の記号（一例として、「ＡＢＣＤＥＦＧ」の文字列）が記されている。この場合、本明細書では、光情報媒体の発明に関する理解を容易とするために、「ＡＢＣＤＥＦＧ」との文字列が記されている例について説明するが、記号記録エリアＡｍに記す記号としては、その光情報媒体に記録された記録データの内容に関する事項、その光情報媒体の利用者に関する事項、その光情報媒体の製造者に関する事項、およびその光情報媒体の販売者や配布者に関する事項などの各種の事項に関する任意の記号を記すことができる。
【００２３】
具体的には、記号記録エリアＡｍ内に凹部Ｘが形成されていない（記号が記されていない）光ディスク１（以下、記号が記されていない光ディスクについては、符号の末尾に「ｘ」を付して説明する）を用意する。なお、この光ディスク１ｘの製造方法（基材１１の成型方法や、情報記録層１２および光透過層１３等の形成方法）については公知のため、その説明を省略する。この場合、以下の手順に従って記号を記す（凹部Ｘを形成する）光ディスク１ｘは、データゾーンＺ２に記録データが記録された記録済みディスク、および、データゾーンＺ２に記録データが記録されていないブランクディスクのいずれでもよい。次いで、用意した光ディスク１ｘを、光透過層１３の表面が記録面（マーキング面）となる向きでレーザーマーカー（一例として、Ｒｆ励起ＣＯ２レーザー：レーザー出力＝２０Ｗ（ＭＡＸ）のレーザーマーカー）にセットする。
【００２４】
次いで、レーザーマーカーの図示しない操作部を操作して、記号記録エリアＡｍに記すべき記号（一例として、「ＡＢＣＤＥＦＧ」との文字列）や、記号を記す位置およびレーザー出力等の各種記録条件（マーキング条件）を指定する。この際には、一例として、レーザー出力を１０Ｗとし、その走査速度を１００ｍｍ／秒にセットする。続いて、スタートスイッチを操作すると、光ディスク１ｘの記号記録エリアＡｍにレーザービームが照射される。この際に、記すべき記号の形に応じてレーザービームが走査されつつ光ディスク１ｘに照射されることにより、レーザービームが照射された部位の光透過層１３や情報記録層１２が熱によって昇華し消失することで、図２に示すように、照射部位に凹部Ｘが形成される。この際には、レーザー出力が１０Ｗにセットされているため、記号記録エリアＡｍにおける光透過層１３の側に深さ１２０μｍの凹部が形成される。この場合、この光ディスク１ｘでは、情報記録層１２の厚みが１６０ｎｍ程度で、光透過層１３の厚みが１００μｍ程度のため、凹部Ｘは、基材１１に達する深さとなる。これにより、図４に示すように、凹部Ｘによって「ＡＢＣＤＥＦＧ」との文字列が記され、光ディスク１が完成する。
【００２５】
この場合、光ディスク１では、前述したように、Ａｇを主成分とする金属材料で形成された光反射層２１の上に各種記録層形成用材料で形成された記録層２２が形成されて情報記録層１２が構成され、この情報記録層１２を覆うようにして樹脂材料で形成された光透過層１３が形成されている。したがって、情報記録層１２の形成領域を光透過層１３の側から見たときには、光反射層２１によって光が反射されることで印刷層１４の視認が制限されると共に、この光反射層２１の上に形成されている記録層２２が光透過層１３を透して視認される。このため、情報記録層１２の形成領域を光透過層１３の側から見たときには、光ディスク１が記録層２２を構成する各層を形成している記録層形成用材料の色（一例として濃紺色）に視認される。
【００２６】
一方、基材１１に達する深さの凹部Ｘが形成された部位では、光透過層１３の側から見たときに、光反射層２１によって光が反射されることなく、基材１１を透して印刷層１４が視認される。この際に、この光ディスク１では、白色顔料を混合した塗料を塗布して硬化させた層を備えて印刷層１４が形成されているため、凹部Ｘが形成された部位を光透過層１３の側から見たときには、印刷層１４が白色に視認される。したがって、内周側非インフォメーションエリアＡ１内において情報記録層１２の形成領域に対して光ディスク１の厚み方向で重なる領域を記号記録エリアＡｍとして規定されて、この記号記録エリアＡｍ内に凹部Ｘの形成によって記号を記した光ディスク１では、記録層形成用材料の色（この例では、濃紺色）の領域内に、印刷層１４の色（この例では、白色）の記号（「ＡＢＣＤＥＦＧ」との文字列）が記された状態となる。この後、必要に応じて、インクジェットプリンタ等を使用して印刷層１４に任意の図柄や記号を印刷することもできる。
【００２７】
このように、この光ディスク１によれば、光ディスク１における内周側非インフォメーションエリアＡ１において情報記録層１２の形成領域に対して光ディスク１の厚み方向で重なる領域（この例では、記号記録エリアＡｍ）の光透過層１３の側に凹部Ｘを形成し、その凹部Ｘによって内周側非インフォメーションエリアＡ１に記号（この例では、「ＡＢＣＤＥＦＧ」の文字列）を記したことにより、インクジェットプリンタ等で印刷層１４に印刷した記号等とは異なり、物理的に形成された凹部Ｘによって記された記号となっている。したがって、例えば汗ばんだ手で触れたとしても滲みが生じることがないため、その美観が損なわれる事態を確実に回避することができる。また、一般的な光ディスクにおいて記号が記されることのない内周側非インフォメーションエリアＡ１内の光透過層１３の側に任意の記号を記したことにより、十分に趣向性が高い光ディスク１を提供することができる。さらに、内周側非インフォメーションエリアＡ１内に規定した記号記録エリアＡｍ内に記号が記されているため、記されている記号（凹部Ｘ）がインフォメーションエリアＡｉ内へのアクセスの妨げとなる事態を招くことなく、光ディスク１を使用することができる。
【００２８】
また、この光ディスク１によれば、基材１１に達する深さの凹部Ｘによって記号を記したことにより、光透過層１３の側から見たときに、凹部Ｘの形成部位（記号を記した部位）において光反射層２１によって光が反射されることがなく、しかも、記録層２２や光反射層２１が存在しないことで、これらの層を構成している層の形成材料とは相違する色で記号が視認されるため、その視認性を十分に向上させることができる。
【００２９】
さらに、この光ディスク１によれば、基材１１における光透過層１３の形成面とは反対側の面において少なくとも記号が記された記号記録エリアＡｍに対して厚み方向で重なる領域（この例は、内周側非インフォメーションエリアＡ１、インフォメーションエリアＡｉおよび外周側非インフォメーションエリアＡ２の全域）に有色の背面層（この例では、白色の印刷層１４）を形成したことにより、光透過層１３の側から見たときに、凹部Ｘの形成部位（記号を記した部位）において有色の背面層が視認されるため、記号の視認性を一層向上させることができる。また、背面層の色を任意の色とすることにより、任意の色の記号が記された趣向性が高い光ディスク１を提供することができる。
【００３０】
なお、記号を記すために形成する凹部については、上記の光ディスク１等に形成した凹部Ｘのように基材１１に達する深さのものに限定されない。例えば、図５に示す光ディスク１Ａのように、光透過層１３の厚みの範囲内の深さとなるように凹部Ｘａを形成することによって任意の記号を記してもよい。なお、この光ディスク１Ａ、および後に説明する光ディスク１Ｂ〜１Ｄ（図６〜９参照）において上記の光ディスク１と同様の構成要素については、同一の符号を付して重複する説明を省略する。この光ディスク１Ａによれば、光透過層１３の厚みの範囲内に形成した凹部Ｘによって記号を記したことにより、凹部Ｘａの形成部位において情報記録層１２が外気に触れることなく光透過層１３によって覆われた状態となるため、凹部Ｘａの形成部位において情報記録層１２の劣化を回避することができる。
【００３１】
また、片面単層の光ディスク１，１Ａに記号を記した例について説明したが、図６に示す光ディスク１Ｂ〜１Ｄのように、例えば片面２層の光ディスクに記号を記してもよい。この場合、光ディスク１Ｂ〜１Ｄは、図７〜９に示すように、情報記録層１２ｂ、中間層１５、情報記録層１２ａおよび光透過層１３が基材１１の一面にこの順で形成されると共に、印刷層１４が基材の他面に形成されている。なお、上記の情報記録層１２ａ，１２ｂは、前述した光ディスク１，１Ａにおける情報記録層１２と同様に構成されているため、その詳細な説明を省略する。この場合、図６に示すように、片面２層の光ディスク１Ｂ〜１Ｄでは、一例として、光透過層１３の側の情報記録層１２ａは、前述した光ディスク１，１Ａにおける情報記録層１２と同様に各エリアやゾーンが規定されているのに対し、基材１１の側の情報記録層１２ｂは、システムゾーンＺ０が存在せず、かつ、リードインゾーンＺ１、データゾーンＺ２およびリードアウトゾーンＺ３が外周側から内周側に向かってこの順で規定されている。
【００３２】
この場合、図７に示すように、基材１１に達する深さの凹部Ｘｂの形成によって記号を記した光ディスク１Ｂによれば、前述した光ディスク１と同様の効果を奏することができる。また、図８に示すように、光透過層１３の厚みの範囲内に凹部Ｘｃを形成することによって記号を記した光ディスク１Ｃによれば、前述した光ディスク１Ａと同様の効果を奏することができる。さらに、図９に示すように、情報記録層１２ａ，１２ｂの間の中間層１５に達する深さであって、情報記録層１２ｂを貫通しない深さの凹部Ｘｄの形成によって記号を記した光ディスク１Ｄにおいても、光ディスク１，１Ａ〜１Ｃと同様にして、美観が損なわれることなく、かつ十分に趣向性が高い光ディスクを提供することができる。また、印刷層１４等の背面層を備えた光ディスク１，１Ａ〜１Ｄにおける記号記録エリアＡｍ内に凹部Ｘ，Ｘａ〜Ｘｄを形成することによって記号を記した光ディスク１を例に挙げて説明したが、印刷層１４を備えていない光ディスク（図示せず）における記号記録エリアＡｍ内に凹部Ｘ，Ｘａ〜Ｘｄを形成することによって記号を記してもよい。
【００３３】
さらに、書換型ディスクの光ディスク１，１Ａ〜１Ｄを例に挙げて説明したが、追記型ディスクや、再生専用ディスクにおいても凹部Ｘ（Ｘａ〜Ｘｄ）と同様の凹部の形成によって記号記録エリアＡｍ内に任意の記号を記すことで、上記の光ディスク１、１Ａ〜１Ｄと同様の効果を奏することができる。また、片面単層の光ディスク１，１Ａ、および片面２層の光ディスク１Ｂ〜１Ｄを例に挙げて説明したが、片面３層以上の多層ディスクにおいても凹部Ｘ（Ｘａ〜Ｘｄ）と同様の凹部の形成によって記号記録エリアＡｍ内に任意の記号を記すことで、上記の光ディスク１，１Ａ〜１Ｄと同様の効果を奏することができる。
【符号の説明】
【００３４】
１，１Ａ〜１Ｄ  光ディスク
１１  基材
１２，１２ａ，１２ｂ  情報記録層
１３  光透過層
１４  印刷層
１５  中間層
２１  光反射層
２２  記録層
Ａ１  内周側非インフォメーションエリア
Ａｉ  インフォメーションエリア
Ａｍ  記号記録エリア
Ｘ，Ｘａ〜Ｘｄ  凹部
【図１】
2011192355.tif 000003
【図２】
2011192355.tif 000004
【図３】
2011192355.tif 000005
【図４】
2011192355.tif 000006
【図５】
2011192355.tif 000007
【図６】
2011192355.tif 000008
【図７】
2011192355.tif 000009
【図８】
2011192355.tif 000010
【図９】
2011192355.tif 000011